(57)【要約】      （修正有）【課題】高価な蓄光性シートを用いた場合であっても、コストを抑えることができる矢印表示標識を提供する。【解決手段】矢印表示標識１は、表示板２に矢印３が表示される。矢印３は、シャフト部３１とアローヘッド部３２とを備え、蓄光性シートで形成される。シャフト部３１は、長方形の四角部材４によって画定され、アローヘッド部３２は、一対の三角部材５によって画定される。三角部材は、互いに線対称の直角三角形である。一対の三角部材は、互いの長辺５２が接するとともに、短辺５１が一直線になるように配置される。一対の三角部材の短辺中央近傍に接するように四角部材の短辺が、配置され、シャフト部３１を形成する。一対の三角部材は、長方形のシートを対角線上で切断することによって得ることができるので、切れ端が生じることなくシートを有効に利用でき、コストを低減できる。【選択図】図１
0003211426.tif 000002
【実用新案登録請求の範囲】
【請求項１】
シャフト部とアローヘッド部とを備える矢印を表示する矢印表示標識であって、
前記シャフト部は、少なくとも一つのシート状の四角部材によって画定され、
前記アローヘッド部は、一対のシート状の三角部材によって画定され、
前記四角部材は長方形であり、
一対の前記三角部材は直角三角形であるとともに、線対称の形状を有することを特徴とする矢印表示標識。
【考案の詳細な説明】
【技術分野】
【０００１】
この考案は、道路等に設置されるとともに、矢印で通行方向を示したり、注意喚起を促したりする矢印表示標識に関する。
【背景技術】
【０００２】
従来、例えば蛍光シートを標識板に貼着し、視認者に視認させる標識が知られる。蛍光シートを矢印の形にすることによって、通行方向を示したり、注意喚起を促したりすることができる。特に、夜間において工事による迂回路や危険区域を示したりする場合には、蓄光性のシートを用いることが好ましい。このように蓄光性のシートを用いることによって、より視認しやすく安全性を確保することができる。
【先行技術文献】
【特許文献】
【０００３】
【特許文献１】特開２００８−１２９７８５号公報
【考案の概要】
【考案が解決しようとする課題】
【０００４】
しかしながら、蛍光シートや蓄光性シートは高価であり、これを用いた標識全体のコストアップにつながるという問題があった。特に蓄光性シートは、蛍光シートに比較して高価である。
【０００５】
この考案では、例えば蛍光シートや蓄光性シートを用いた場合であっても、コストを抑えることができる矢印表示標識を提供することを課題とする。
【課題を解決するための手段】
【０００６】
この考案は、シャフト部とアローヘッド部とを備える矢印を表示する矢印表示標識であって、前記シャフト部は、少なくとも一つのシート状の四角部材によって画定され、前記アローヘッド部は、一対のシート状の三角部材によって画定され、前記四角部材は長方形であり、一対の前記三角部材は直角三角形であるとともに、線対称の形状を有することを特徴とする。
【考案の効果】
【０００７】
この考案によれば、矢印を２枚の四角形のシートによって形成することができる。すなわち、一方の四角形のシートをシャフト部の四角部材に適用し、他方の四角形のシートをアローヘッド部の一対の三角部材に適用する。一対の三角部材は、長方形のシートを対角線上で切断することによって得ることができる。このように四角形のシートによって矢印を形成することができるので、矢印形成後にシートの切れ端が生じない。シートを有効に利用することができ、その分コストを低減した安価な矢印表示標識を提供することができる。
【図面の簡単な説明】
【０００８】
【図１】この考案の矢印表示標識の一例を示す図。
【図２】（ａ）シートの切断位置を示した図。（ｂ）切断後のシートを示した図。
【図３】他の形態の矢印表示標識を示す図。
【考案を実施するための形態】
【０００９】
図１を参照すれば、矢印表示標識１は、表示板２に矢印３が表示される。矢印３は、シャフト部３１とアローヘッド部３２とを備え、蓄光性シートで形成される。シャフト部３１は、長方形の四角部材４によって画定され、アローヘッド部３２は、一対の三角部材５によって画定される。三角部材５は、互いに線対称の直角三角形である。この実施形態において三角部材５は、直角を挟む短辺５１および長辺５２と、斜辺５３とによって構成される。一対の三角部材５は、互いの長辺５２が接するとともに、短辺５１が一直線になるように配置される。このように三角部材５を配置することによって、アローヘッド部３２を形成することができる。
【００１０】
一対の三角部材５の短辺５１に接するように四角部材４が配置される。四角部材４は、一対の短辺４１と一対の長辺４２とによって構成される。この実施形態において、一方の短辺４１が、三角部材５の短辺５１に接触するように配置され、シャフト部３１を形成する。四角部材４は一直線上に並んだ短辺５１の中央近傍に配置される。
【００１１】
図２（ａ）は、蓄光性の蛍光シートを切断して四角部材４および三角部材５を作成するときの切断の位置を示した図である。図２（ｂ）は切断した状態の蛍光シートを示したものである。蓄光性の蛍光シートは、ロール状にされているのが一般的であり、これを適宜切断して用いる。ロール状の蓄光性の蛍光シートを繰り出しながら、繰り出し方向に対して直角に切断することによって、長方形のシート６を得ることができる。長方形のシート６はその長辺６１を二等分する切断線７１で切断することによって、同形同大の長方形の第１シート６Ａおよび第２シート６Ｂに分割される。第１シート６Ａは、そのまま四角部材４として用いることができる。第２シート６Ｂは、切断線７２でさらに切断する。切断線７２は、第２シート６Ｂの面積を二等分する対角線である。切断線７２で切断された第２シート６Ｂのそれぞれを三角部材５として用いることができる。
【００１２】
このようにして形成された四角部材４および三角部材５において、三角部材５の短辺５１と四角部材４の短辺４１との長さ寸法は等しく、三角部材５の長辺５２と四角部材４の長辺４２との長さ寸法も等しい。また、一対の三角部材５において、互いの短辺５１および長辺５２の長さ寸法が、それぞれ等しい。したがって、一対の三角部材５の短辺５１を直線状に位置するように配置し、これに四角部材４の短辺４１が接するように並べたときには、必ず四角部材４の短辺４１よりも三角部材５の短辺５１が並んだ寸法の方が長くなり、矢印としての見栄えが良い。すなわち、四角部材４および三角部材５を別途切断等することなく、矢印３を形成することができる。
【００１３】
この実施形態によれば、長方形のシート６を切断するだけで、切れ端を作ることなくシートのすべてを有効に利用することができる。無駄がなくなることによってその分のコストダウンを図ることができ、全体として安価な矢印表示標識１を得ることができる。
【００１４】
単純な図形である三角部材５と四角部材４との組み合わせだけで矢印３を作ることができ、矢印表示標識１を容易に制作することができる。また、三角部材５および四角部材４の形成においても、直線で切断するだけなので、非常に簡便である。矢印３を蓄光性シートで形成することによって、夜でも矢印３を視認しやすくすることができる。
【００１５】
図３は、図１および図２に示した実施形態と同じ材料を用いて作成した他の形態の矢印表示標識１である。この実施形態において、四角部材４は、その短辺４１を二等分するようにさらに分割される。したがって、この実施形態においては、一対の三角部材５と一対の四角部材４Ａ，４Ｂとによって矢印３を形成する。具体的には、三角部材５を、表示板２の対向する角にそれぞれ配置し、三角部材５の長辺５２と四角部材４の長辺４２とが一直線上に並ぶように配置する。このように配置することによって、矢印３以外の部分を蓄光性シートで形成することができる。これによって、視認者は発光していない部分を矢印３として視認することができる。
【００１６】
上記のように、同じ四角部材４および三角部材５によって、二通りの矢印を形成することができる。これら矢印は標識を設置する場所や、標識の大きさ・用途等に応じて選択することができる。なお、四角部材４は、短辺４１および長辺４２の長さが等しい正方形を含むものであり、三角部材５は、短辺５１および長辺５２の長さが等しい直角二等辺三角形を含むものである。
【００１７】
この実施形態において、蓄光性シートを用いているが、これに限定されるものではく、蛍光シートや反射シート等他のシートを制限なく用いることができ、用途や使用範囲等により適宜選択可能である。いずれのシートを用いた場合でも無駄なくシートを利用することができる。また、この実施形態では一対の三角部材５で矢印３のアローヘッド部３２を画定しようとした場合には、いずれか一方の三角部材５を裏返して使用する必要がある。シートの両面において蛍光機能を発揮する両面仕様の場合には、上述のように単に裏返して使用することができる。シートの片面のみ蛍光機能を発揮する片面仕様の場合には、図２（ａ）に示したシートを二組用意するとともに、他方の三角部材５を画定する切断線を一方の三角部材５を画定する切断線に対して線対称の位置に変更する。このようにすることによって２つの矢印３を形成することができる。
【００１８】
例えば、矢印３を蓄光性シートで形成した場合には、表示板２のその他の領域を蛍光発光させることにより、日中および夜間のいずれも矢印表示標識１を視認しやすくすることができる。すなわち、夜間は蓄光性の矢印３を視認しやすくして、日中は蛍光性の矢印３以外の部分を視認しやすくすることができる。また、矢印３を蛍光シートで形成し、その他の領域を蓄光性シートで形成することもできる。なおこの場合には、表示板２に直接蓄光材を塗布してもよい。
【符号の説明】
【００１９】
１    矢印表示標識
２    表示板
３    矢印
４    四角部材
５    三角部材
６    シート
６Ａ  第１シート
６Ｂ  第２シート
３１    シャフト部
３２    アローヘッド部
【図１】
0003211426.tif 000003
【図２】
0003211426.tif 000004
【図３】
0003211426.tif 000005